(57)【特許請求の範囲】
【請求項１】
密閉保存容器の口部に装着可能であるキャップ本体と、このキャップ本体内に配置してある中栓とを備えており、
上記キャップ本体内にはその内底部から開口部に向けて突出している保持部を設けてあり、
上記中栓には、その内部に開口部から上記保持部が進入可能である収納空間を形成し、その外周部に外側に張り出しかつ上記口部の縁部に密着可能であるつば部を設けてあり、
上記保持部は、上記中栓にその開口部を通じて隙間を開けて単独で互いに回転可能に嵌め込まれかつ、上記中栓と共に上下動可能に結合され、
上記中栓のつば部の外周面は、上記キャップ本体の上記内底部側の内周面との間に隙間を置いて対向し、
上記保持部は、その外周面が上記キャップ本体の開口部に向けて次第に開く方向に傾斜している傾斜面からなるアンダーカット部となっており、上記中栓はその収納空間の開口部の内周面が上記外周面に沿って傾斜している傾斜面からなるアンダーカット部となっており、上記外周面と上記内周面とが互いに隙間をもって対向している
ことを特徴とする密閉保存容器のキャップ。
【請求項２】
中栓の収納空間内に内容物の表示体を配置してあり、上記表示体をキャップ本体の外側から透視可能であることを特徴とする請求項１記載の密閉保存容器のキャップ。
【請求項３】
保持部はその内部に保持空間を形成してあり、この保持空間と中栓の収納空間との間に内容物の表示体を配置してあり、上記表示体をキャップ本体の外側から透視可能であることを特徴とする請求項１記載の密閉保存容器のキャップ。
【請求項４】
保持部はその内部に保持空間を形成してあり、この保持空間と中栓の収納空間との間にキャップ状の内容物の表示体を配置してあり、この表示体の底部側が上記保持空間に密着状態に嵌め込まれており、上記表示体をキャップ本体の外側から透視可能であることを特徴とする請求項１記載の密閉保存容器のキャップ。
【発明の詳細な説明】
【技術分野】
【０００１】
この発明は、内容物を変質しないように保存するための密閉保存容器のキャップに関するものである。
【背景技術】
【０００２】
一般に使用されるキャップによって封止される容器は、需要者に届くまで、又は需要者によって初めて開栓されるまで、完全密封を必要とする。短期又は長期に保存するための密閉保存容器のキャップとして、キャップ本体と中栓とを組み合わせたもの（特開平８−４８３５０号公報など）や、キャップ本体と中栓とを一体成形したもの（実開昭６０−１２３３６０号公報など）が提案されている。
特開平８−４８３５０号公報に記載のキャップ（以下「従来例１」という。）は、公報図１に示すようにキャップ本体に相当している蓋本体内に中栓である密封用パッキンを配置しているものである。蓋本体は蓋天板及びこの蓋天板の周縁に設けてある周壁から構成され、周壁に容器口部の容器ねじ部とねじ結合するキャップねじ部を形成してある。密封用パッキンは、閉栓時に容器口部を密封するためのものであり、この容器口部の開口内に密封可能に嵌め込まれる環状の中足を有している。
実開昭６０−１２３３６０号公報に記載の容器蓋（以下「従来例２」という。）は、公報第２図に示すようにキャップ本体に相当している螺筒部と中栓に相当する栓部とによって構成されている。螺筒部は容器の口栓部の螺子部にねじ結合され、栓部は中実体構造であると共に、螺筒部と一体に成形され、かつ口栓開口部に密の状態に嵌め込まれる。
【先行技術文献】
【特許文献】
【０００３】
【特許文献１】特開平８−４８３５０号公報
【特許文献２】実開昭６０−１２３３６０号公報
【発明の概要】
【発明が解決しようとする課題】
【０００４】
従来例１などのようなキャップ本体と中栓を組み合わせているキャップにあっては、中栓によって高い密閉性が得られるが、下記の課題がある。
すなわち、開栓時に、利用者が容器の口部から中栓を外す際に、保存されている内容物が指に付着するおそれがあり、特に内容物が液体の場合にはその可能性が大きい。このため、開栓時におけるキャップの取り扱いが面倒である。
従来例２などのようにキャップ本体と中栓とが一体成形されているキャップにおいては、開栓時に中栓はキャップ本体と共に外れるので上記課題を解決することができるが、下記に示す新たな課題がある。
すなわち、従来例２において、容器蓋は口栓部にねじ結合されているために、開栓時では螺筒部を回す必要があり、この螺筒部の回転に伴って栓部も回転する。この栓部は口栓部の口栓開口部に密着状態に嵌め込まれているので、栓部の回転によって栓部の外周面が密着している口栓開口部の内周面を傷付けてしまい、上記外周面と上記内周面との間にわずかな隙間が生じ、この隙間が密閉性の低下を招く原因となっていた。
研究所などにおいて、内容物（例えば試薬液、有機培養液、海、湖沼などから採取したサンプル水など）を入れた容器は、繰り返し洗浄されて再使用されているのが実情である。容器を繰り返し使用する観点から、上記従来例２では、口栓開口部の内周面を傷付けてしまっているために、容器の再利用ができない不都合がある。
この発明の目的は、開栓時の取り扱いがし易く、容器の繰り返し使用を可能にすると共に密閉性を維持可能とすることにある。
【課題を解決するための手段】
【０００５】
この発明に係る密閉保存容器のキャップは、密閉保存容器の口部に装着可能であるキャップ本体と、このキャップ本体内に配置してある中栓とを備えている。
上記キャップ本体内にはその内底部から開口部に向けて突出している保持部を設けてあり、上記中栓には、その内部に開口部から上記保持部が進入可能である収納空間を形成し、またその外周部に外側に張り出しかつ上記口部の縁部に密着可能であるつば部を設けてある。上記保持部と上記中栓との結合関係に関して、上記中栓は、上記保持部に対してこの保持部と共に上下動可能であるが、単独で互いに回転可能に、換言すれば上記保持部の回転力が中栓に付与されないように嵌め込まれている。上記中栓のつば部の外周面は、上記キャップ本体の上記内底部側の内周面との間に隙間を置いて対向している。
上記結合関係の例として、上記保持部はその外周面がキャップ本体の開口部に向けて次第に開く方向に傾斜している傾斜面からなるアンダーカット部となっており、中栓はその収納空間の開口部の内周面が上記外周面に沿って傾斜している傾斜面からなるアンダーカット部となっており、上記外周面と上記内周面とが互いに隙間をもって対向している。
使用者に対して内容物を明示するための識別表示手段として、密閉保存容器に着色した材質を使用できない場合や密閉保存容器の成形後に着色を施すことが困難な場合には、上記中栓の収納空間に内容物の表示体を配置し、上記表示体をキャップ本体の外側から透視可能とする。
【発明の効果】
【０００６】
この発明によれば、キャップ本体の保持部が中栓に嵌め込まれているので、キャップの装着及びその解除がし易く、また上記中栓は上記保持部に対してこの保持部と共に上下動可能であるが、単独で互いに回転可能としているので、閉栓時に上記保持部が回転しても中栓は回転しないので、密閉保存容器の口部が中栓によって傷付けられることがなく、密閉保存容器を繰り返し使用することができ、密閉性を維持することができ、また保管や運搬中に密閉保存容器が転倒しても密閉性が維持されているので、転倒によって内容物の漏れを生じない。
【図面の簡単な説明】
【０００７】
【図１】この発明に係る密閉保存容器のキャップの使用状態を示す一部切欠正面図である。
【図２】図１のＩＩ−ＩＩ線断面図である。
【図３】この発明に係る密閉保存容器のキャップを示す平面図である。
【図４】図３のＩＶ−ＩＶ線拡大断面図である。
【図５】この発明に係る密閉保存容器のキャップを分解した状態を示す一部切欠正面図である。
【図６】図５のＶＩ−ＶＩ線断面図である。
【図７】図５の中栓を示す平面図である。
【図８】図５の表示体を示す底面図である。
【図９】この発明に係る密閉保存容器のキャップの参考例を示す一部切欠正面図である。
【図１０】図９のＸ−Ｘ線断面図である。
【図１１】図９における密閉保存容器のキャップを分解した状態を示す一部切欠正面図である。
【図１２】図９における密閉保存容器のキャップに用いる中栓を示す平面図である。
【図１３】この発明に係る密閉保存容器のキャップのさらに他の参考例を示す一部切欠正面図である。
【図１４】図１３における密閉保存容器のキャップに用いる中栓を示す平面図である。
【発明を実施するための形態】
【０００８】
この発明に係る密閉保存容器のキャップについて図１〜図８を参照して説明する。
図１及び図２に示すキャップ１は、キャップ本体２と、このキャップ本体内に配置してある中栓３及び内容物の表示体４とを備えている。
キャップ１はプラスチック部材からなり、プラスチック製の密閉保存容器５の口部５ａに装着されており、この口部を密閉している。
【０００９】
図１〜図６において、キャップ本体２の内周面には、口部５ａの雄ねじ部５ｂに結合可能である雌ねじ部２ａを形成してある。キャップ本体２の内底面には、開口部２ｂに向け突出している保持部２ｃを設けてある。保持部２ｃは、図１、図２及び図５に示す例では内部が保持空間２ｄとなっている丸筒形状である。保持空間２ｄは下方側が開口部２ｄ１（図５）となっている。保持部２ｃはその外周面２ｅがキャップ本体２の開口部２ｂに向けて次第に開く方向に傾斜している傾斜面からなるアンダーカット部となっている（図４）。すなわち、保持部２ｃの外周面２ｅは、図５に示す例では、開口部２ｄ１に向けて開く方向に傾斜している外周傾斜面を形成し、対向する外周傾斜面における母線のなす角度を所定の角度αに設定されている。
図３及び図５において、キャップ本体２の外周面に円周方向に等間隔を置いて上下方向に長い補強用のリブ２ｆを設けてある。
【００１０】
中栓３は図１、図２及び図５に示すように、ボール（ＢＯＷＬ）状に成形されており、上側外周部には外側にかつ水平に張り出したつば部３ａを形成してある。つば部３ａは密閉保存容器５の口部５ａの縁部に密着されている。図１の例では、つば部３ａの下側（内側）に密閉保存容器５の口部５ａの縁部が圧入可能であるシール溝３ａ１を設けて、口部との密着度を高めている。
また、中栓３の内部は収納空間３ｃとなっており、図５上側が開口部３ｂとなっている。収納空間３ｃは、図１、図５及び図７に示すように、開口部側３ｂの内周面３ｄが上記キャップ本体２の外周面２ｅに沿って傾斜している傾斜面からなるアンダーカット部となっている。すなわち、図５に示す例では、中栓３の内周面３ｄは、上方に向けて次第に閉じる方向に傾斜している内周傾斜面を形成しており、対向する内周傾斜面における母線のなす角度を所定の角度βとしている。角度βは上記角度αと等しい。
【００１１】
キャップ本体２と中栓３との結合関係を図１〜図５を参照して説明する。
キャップ本体２の保持部２ｃは、中栓３の収納空間３ｃにその上端の開口部３ｂから内底部に向けて嵌め込まれている。保持部２ｃの外周面２ｅと中栓３の内周面３ｄはなす角度がα＝β（図５）であり、そして保持部２ｃの外周面２ｅは対向する中栓３の内周面３ｄとの間にわずかな隙間６（図４）を開けてある。
また、図４に示すように、中栓３の外周面（図示の例ではつば部３ａの外周面）は、キャップ本体２の内底部側の内周面との間に隙間７（図４）を開けてある。
このために、キャップ本体２と中栓３とは上下方向に互いに離脱しにくく、両者の一体性が確保されている。同時に、キャップ本体２と中栓３とは互いに単独で回転可能に嵌め込まれている関係にある。
したがって、中栓３はキャップ本体２内に一体的に取り付けられているが、後述するように、キャップ１の閉栓時及び開栓時において、キャップ本体の上下方向の移動に伴って保持部２ｃを介して中栓３も同一方向に移動するが、キャップ本体が回転した場合でも中栓３自体は回転しない。
【００１２】
内容物の表示体４は、図１及び図４に示すようにその底部側（図４上側）が保持部２ｃの保持空間２ｄに収納され、保持されている。
表示体４は、使用者に内容物の種類、性質、履歴、取扱い方法などを認識させるための識別表示手段である。表示体４はチップからなり、図５及び図８に示す例では浅いキャップ状に形成されている。表示体４は、外周面が保持部２ｃの保持空間２ｄの内周面の傾斜角度に近い角度に傾斜されている。表示体４の底部側は、保持部２ｃの保持空間２ｄ内に密着状態に嵌め込まれている。
表示体４における識別表示方法の一つとして、色彩表示による識別法である。すなわち、内容物の種類などに対応して、例えば、内容物に対して接触禁止の場合には、表示体４を赤色表示とし、接触禁止の程度が中位の場合には黄色表示とし、接触禁止がない場合には青色表示とする。また、他の方法として、表示体４自体を内容物の種類などに対応して、様々な形状に成形して識別する。さらに、表示体４に文字や模様又はその組み合わせを付して識別する。
使用者が表示体４を認識する必要があるために、キャップ本体２の外側からこの表示体を見ることができる。このため、キャップ本体２の全体又はその一部は、表示体４を透視可能とするために透明又は半透明に形成されている。
表示体４を設ける理由について説明する。
一般的に、密閉保存容器に保存してある内容物（例えば保存液体）の種類などを使用者が外から把握するための工夫として、密閉保存容器の材質中に色彩塗料を混入させて、全体を着色するもの、密閉保存容器の外面に文字や模様を付する着色識別表示手段が採用されている。
しかしながら、上記のような着色による識別表示手段を採用できない場合がある。例えば保存液体を長期に保存する場合、経時的に密閉保存容器の材質に混入された又は容器外面に塗布された着色剤に含まれる可塑剤や鉛などが上記保存液体に溶出されて、保存液体の純度を低下させる問題が生じる。
このような場合、図１に示すように表示体４を中栓３の収納空間３ｃの保持部２ｃ内に配置すれば、表示体４は内容物に直接接触することがないから、上記の問題は生じず、密閉保存容器に対する着色による識別表示手段が不要となる。
表示体４は、キャップ１に必要不可欠なものではないので、必要に応じて保持部２ｃ内に取り付けられる。
【００１３】
次に、キャップ１の使用法について説明する。
図４に示すように、キャップ１のキャップ本体２内に中栓３及び内容物の表示体４を配置する。
配置方法は、キャップ本体２の保持部２ｃの保持空間２ｄに表示体４の底部側を嵌め込んだ状態で、保持部の下端側を中栓３の開口部３ｂに差し入れて、この保持部を徐々に収納空間３ｃへ押込んで行くと、その押圧力によって傾斜している保持部の外周面２ｅが開口部の内周面３ｄを外側に押し広げ、やがて保持部が図４に示す位置に至ると、保持部が収納空間の開口部に嵌合され、キャップ本体２と中栓とが結合される。この時、保持部２ｃの外周面２ｅと中栓３の内周面３ｄとは隙間６を開けて対向している（図４）。
閉栓時では、キャップ本体２を密閉保存容器５の口部５ａの上端部に被せ、キャップ本体を回して行くと、口部５ａの雄ねじ部５ｂがキャップ本体の雌ねじ部２ａにねじ込まれ、キャップ本体が回転しながら徐々に下方に移動され、口部の上端部はシール溝３ａ１内に入り込みつつ圧入され、図１に示すねじ込みを終えた時点でキャップ本体の回転を停止する。この時、キャップ本体２の内底部側の内周面と中栓３のつば部３ａとは隙間７を開けて対向している（図１）。
この結果、図１に示すようにキャップ本体２が口部５ａに装着され、キャップ１は密閉保存容器５の口部５ａを密閉する。
開栓時では、キャップ１を図１に示す状態から、閉栓時とは逆の方向に回して行くと、中栓３は回転することなくキャップ本体２と共に徐々に上昇し、やがて密閉保存容器５の口部５ａの上端部から外れる。
【００１４】
図１に示すキャップ１において、互いに嵌合状態にある一方のキャップ本体２の保持部２ｃは、その外周面２ｅがキャップ本体の開口部２ｂに向けて次第に開く方向に傾斜している傾斜面からなるアンダーカット部となっている。他方の中栓３はその収納空間３ｃの開口部３ｂの内周面３ｄが上記外周面に沿って傾斜している傾斜面からなるアンダーカット部となっており、上記外周面と上記内周面とが互いに隙間６をもって対向している。また、中栓３の上側外周部であるつば部３ａの外周面とキャップ本体２の内底部側（図４上側）の内周面とが互いに隙間７をもって対向している。このために、キャップ本体２を回しながら閉めて行く過程では、中栓３は保持部２ｃの回転によって回転することなく、キャップ本体の下方への移動に伴って中栓も下方に移動し、密閉保存容器５の口部５ａ内に嵌め込まれ、口部を密閉する。閉栓の過程では、キャップ本体２の回転操作を円滑にする必要から、雌ねじ部２ａとこれに噛み合う密閉保存容器５の口部５ａの雄ねじ部５ｂとの間に所定の隙間を開けてあるので、キャップ本体の回転軸が固定されない状態にある。しかし、中栓３は隙間６，７によってキャップ本体２の回転軸とは関係なく、この中栓の中心と密閉保存容器５の口部の中心とが合致した状態であるので、キャップ本体の押下力によって口部５ａ内に円滑に圧入される。また、閉栓の過程では、中栓３は下方へ移動するものの回転しないので、中栓の外周面が密閉保存容器５の口部５ａの内周面を損傷させることがない。
このように、キャップ１の開栓時及び閉栓時のいずれの場合でも、中栓３は回転することなくキャップ本体２と共に降下及び上昇し、密閉保存容器５の口部５ａの内周面を傷付けることがなく、装着や装着の解除が可能となる。
また、中栓３のつば部３ａのシール溝３ａ１は密閉保存容器５の口部５ａと密閉する状態に嵌合しているので、中栓の経時的な応力の変化によっても密閉圧が下がることがない。
したがって、密閉保存容器５は、図１に示すキャップ１によって高度に密封され、内容物は長期に渡って変質することなく保存されることになる。
図１に示すキャップは、表示体４を中栓３の収納空間３ｃ内に配置してあるので、密閉保存容器の内容物に影響されることなく、色彩などの識別表示手段を提供することができる。
【００１５】
この発明に係る密閉保存容器のキャップの参考例について図９〜図１２を参照して説明する。
図示するキャップ１１は、図１及び図２に示すキャップ１とその主要部の構成が共通しているので、相違する部分を説明し、共通する部分については必要の場合を除いて説明を省略する。
図９に示すキャップ本体１２の保持部１２ｃは、その外周面１２ｅがキャップ本体の開口部１２ｂに向けて次第に閉じる方向に傾斜している傾斜面からなるアンダーカット部となっている。図１１に示す保持部１２ｃにおいて、保持空間１２ｄの開口部１２ｄ１の内周面には断面ほぼ半円形の係合縁部１２ｇを形成してある。
図９及び図１１に示す中栓１３において、収納空間１３ｃの内底面から開口部１３ｂに向けて保持凸部１３ｇを設けてある。保持凸部１３ｇは、その外周部の全周に溝状の係合凹部１３ｈを形成してある。
キャップ本体１２の保持部１２ｃと中栓１３との結合関係を説明する。
図９及び図１１に示すように、一方においてキャップ本体１２の保持部１２ｃは中栓１３の収納空間１３ｃ内に開口部１３ｂを通じて収納され、他方において中栓１３の保持凸部１３ｇは保持部１２ｃの保持空間１２ｄ内に開口部１２ｄ１を通じて収納されている。
上記収納されている状態において、保持部１２ｃの係合縁部１２ｇは中栓１３の係合凹部１３ｈと隙間１８を開けて係合され、保持凸部１３ｇに保持されている。また、保持部１２ｃの外周面１２ｅと中栓１３の開口部１３ｂの内周面１３ｄとの間は隙間１６が開けられている。さらに、中栓１３のつば部１３ａの外周面とキャップ本体１２の内底部側の内周面との間には隙間１７が開けられている。
キャップ本体１２と中栓１３との結合関係は上述したキャップ本体２と中栓３とのそれと同様であるが、保持部１２ｃの係合縁部１２ｇと中栓１３の係合凹部１３ｈとの係合を通じて、中栓１３はキャップ本体１２の上下方向への移動に連動して上下方向に移動するが、隙間１６，１７，１８の存在によって、キャップ１１が回転しても回転しないので、中栓１３の外周面が図示していない密閉保存容器の口部の内周面を損傷させることがない。
図９及び図１０に示すように、保持部１２ｃの保持空間１２ｄには円板状の表示チップである表示体１４を収納保持してある。表示体１４は、保持空間１２ｄの内底面と中栓１３の保持凸部１３ｇの上面との間に配置されている。
図示するキャップ１１において、図１に示すキャップ１と同様に、キャップ１１のねじ込みによって中栓１３は回転することなく、密閉保存容器の口部内に圧入されることになる。
図９において、キャップ本体１の雌ねじ部１２ａ、補強用のリブ１２ｆ及びシール溝１３ａ１は、図１に示すキャップ１の雌ねじ部２ａ、補強用のリブ２ｆ及びシール溝３ａ１にそれぞれ対応している。
【００１６】
この発明に係る密閉保存容器のキャップのさらに他の参考例について図１３及び図１４を参照して説明する。
図１３に示すキャップ２１は、図１及び図２に示すキャップ１とその主要部の構成が共通しているので、相違する部分を説明し、共通する部分については必要の場合を除いて説明を省略する。
キャップ本体２２の保持部２２ｃは円柱状に成形されており、キャップ本体の内底面から開口部２２ｂに向けて突出されている。保持部２２ｃの下端部には係止フランジ部２２ｈが全周に形成され、この係止フランジ部とキャップ本体２２の内底面との間に係合溝２２ｉが形成されている。
中栓２３は収納空間２３ｃの上端側が遮蔽されており、遮蔽部分の中央部に円形の開口部２３ｂを開けてある。
保持部２２ｃと中栓２３との結合関係を説明する。
図１３に示すように、保持部２２ｃは、中栓２３の開口部２３ｂを通じて収納空間２３ｃ内に進入されており、係止フランジ部２２ｈが収納空間内に位置している。中栓２３の開口部２３ｂの内周縁部は、保持部２２ｃの係合溝２２ｉ内に隙間２６を介して緩く嵌合されている。このため、キャップ本体２２の回転に伴って保持部２２ｃが回転しても、中栓２３は回転することがなく、また保持部の上下動によっても中栓２３から容易に離脱しない構成としてある。
図示するキャップ２１において、図１に示すキャップ１と同様に、保持部２２ｃは回転しながらキャップ本体２２が密閉保存容器の口部（図示せず。）にねじ込まれて行くが、中栓２３は回転することなく、保持部と共に下方に移動して密閉保存容器の口部内に圧入されることになる。
図１３において、キャップ本体２２の雌ねじ部２２ａ、補強用のリブ２２ｆ及び隙間２７は、図１に示すキャップ１のキャップ本体２の雌ねじ部２ａ、補強用のリブ２ｆ及び隙間７にそれぞれ対応している。また、中栓２３のつば部２３ａ及びシール溝２３ａ１はキャップ１の中栓３のつば部３ａ及びシール溝３ａ１にそれぞれ対応している。
図示するキャップ２１は表示体を設けていない。
【００１７】
図１、図９及び図１３に示すキャップ１，１１，２１は、上述したように、キャップ本体２，１２，２２と中栓３，１３，２３とが一体的に結合されているものの、キャップ本体が回転しても中栓が回転しない結合関係にあるので、キャップの装着時に中栓は密閉保存容器５の口部５ａ内にその内周面を傷付けることなく円滑に圧入され、密閉保存容器の密閉性が損なわれることがない。このため、密閉保存容器を繰り返し使用することが可能となり、省資源に寄与する他に経済性に優れている。そして密閉性が維持されるので、保管中や運搬中などで容器が転倒しても、内容物の漏れがなく、密閉保存容器の恒久的な密閉性を確保することができる。そして、キャップ本体２，１２，２２の装着及び装着解除と同時に中栓３，１３，２３も取り付け及び取り外しができるので、キャップ１，１１，２１の取扱いがし易い。
図１及び図９に示すキャップ１，１１は、表示体４，１４を設けてあるので、内容物によっては密閉保存容器の材質を識別のために着色することができない場合や、密閉保存容器の表面に識別のための表示をすることができない場合に好都合である。
【００１８】
図１に示すキャップ１において、保持部２ｃは、必ずしもその内部に保持空間２ｄを設けなくても良く、中実構造であっても良い。
図９に示すキャップ１１において、保持部１２ｃは、その外周面１２ｅが図示するように開口部１２ｄ１に向けて傾斜する傾斜面である必要がなく、垂直面であっても良い。
図１及び図９に示すキャップ１，１１は表示体４，１４を設けているが、これらの表示体は各キャップに必ずしも設けることを要しない。
【符号の説明】
【００１９】
１，１１，２１                キャップ
２，１２，２２                キャップ本体
２ｂ，１２ｂ，２２ｂ          キャップ本体の開口部
２ｃ，１２ｃ，２２ｃ          保持部
２ｄ，１２ｄ                  保持空間
２ｄ１，１２ｄ１              開口部
２ｅ，１２ｅ                  外周面
３，１３，２３                中栓
３ａ，１３ａ，２３ａ          中栓のつば部
３ａ１，１３ａ１，２３ａ１    シール溝
３ｂ，１３ｂ，２３ｂ          中栓の開口部
３ｃ，１３ｃ，２３ｃ          収納空間
３ｄ，１３ｄ                  内周面
４，１４                      内容物の表示体
５                            密閉保存容器
５ａ                          密閉保存容器の口部
６，１６，２６                隙間
７，１７，２７                隙間
１２ｇ                        係合縁部
１３ｇ                        保持凸部
１３ｈ                        係合凹部
１８                          隙間
２２ｈ                        係止フランジ部
２２ｉ                        係合溝
α，β                        角度
【図１】
0005624341.tif 000002
【図２】
0005624341.tif 000003
【図３】
0005624341.tif 000004
【図４】
0005624341.tif 000005
【図５】
0005624341.tif 000006
【図６】
0005624341.tif 000007
【図７】
0005624341.tif 000008
【図８】
0005624341.tif 000009
【図９】
0005624341.tif 000010
【図１０】
0005624341.tif 000011
【図１１】
0005624341.tif 000012
【図１２】
0005624341.tif 000013
【図１３】
0005624341.tif 000014
【図１４】
0005624341.tif 000015